(57)【特許請求の範囲】
【請求項１】
第１の撮像手段で被験者を断層撮影して得られた、複数枚の第１の断層画像を含む断層画像データを読み込む手段と、
第２の撮像手段で前記被験者を撮影した、第２の画像の画像データを読み込む手段と、
前記複数枚の第１の断層画像から一枚の第１の断層画像を選択する選択手段と、
前記選択された第１の断層画像と、前記第２の画像とを表示装置に並べて表示させる第１の表示手段と、
前記第１の断層画像上の第１の位置及び前記第２の画像上の第２の位置の選択を受け付ける受付手段と、
前記選択された第１の断層画像と、前記第２の画像と、前記選択された第１の位置と第２の位置とが合致するように、前記第１の断層画像と前記第２の画像とを重ねた第３の画像と、を前記表示装置に同時に表示させる第２の表示手段と、を備える画像診断支援装置。
【請求項２】
前記選択を受け付ける手段が、前記第１の位置が選択された後、所定の入力装置に対する単一の入力操作により前記第２の位置の選択を受け付けると、前記第１の表示手段は、第１の断層画像の表示領域での前記第１の位置と、第２の画像の表示領域内での前記第２の位置とが、同じ位置になるように第１の断層画像または第２の画像の表示位置を変更することを特徴とする請求項１記載の画像診断支援装置。
【請求項３】
前記表示装置に表示したときに、前記断層画像及び前記機能画像の前記被験者の表示倍率が一致するように調整する手段をさらに備える請求項１記載の画像診断支援装置。
【請求項４】
前記第１の断層画像は、ＣＴ画像またはＭＲＩ画像である請求項１記載の画像診断支援装置。
【請求項５】
前記第２の画像は、前記被験者を正面及び背面から撮影した、前記被験者の生理機能ないしは代謝情報に基づく機能画像であることを特徴とする請求項１記載の画像診断支援装置。
【請求項６】
前記第２の画像はＲＩ画像である請求項５記載の画像診断支援装置。
【請求項７】
第１の撮像手段で被験者を断層撮影して得られた、複数枚の第１の断層画像を含む断層画像データを読み込むステップと、
第２の撮像手段で前記被験者を撮影した、第２の画像の画像データを読み込むステップと、
前記複数枚の第１の断層画像から一枚の第１の断層画像を選択するステップと、
前記選択された第１の断層画像と、前記第２の画像とを表示装置に並べて表示させるステップと、
前記第１の断層画像上の第１の位置及び前記第２の画像上の第２の位置の選択を受け付けるステップと、
前記選択された第１の断層画像と、前記第２の画像と、前記選択された第１の位置と第２の位置とが合致するように、前記第１の断層画像と前記第２の画像とを重ねた第３の画像と、を前記表示装置に同時に表示させるステップと、を有する画像表示方法。
【請求項８】
コンピュータに実行されると、
第１の撮像手段で被験者を断層撮影して得られた、複数枚の第１の断層画像を含む断層画像データを読み込むステップと、
第２の撮像手段で前記被験者を撮影した、第２の画像の画像データを読み込むステップと、
前記複数枚の第１の断層画像から一枚の第１の断層画像を選択するステップと、
前記選択された第１の断層画像と、前記第２の画像とを表示装置に並べて表示させるステップと、
前記第１の断層画像上の第１の位置及び前記第２の画像上の第２の位置の選択を受け付けるステップと、
前記選択された第１の断層画像と、前記第２の画像と、前記選択された第１の位置と第２の位置とが合致するように、前記第１の断層画像と前記第２の画像とを重ねた第３の画像と、を前記表示装置に同時に表示させるステップと、が行われる画像表示のためのコンピュータプログラム。
【発明の詳細な説明】
【技術分野】
【０００１】
本発明は、被験者を撮影した画像を用いた診断を支援するための技術に関し、特に、異なる手法で撮影された同一被験者の画像を重ねて表示させて、診断支援のための技術に関する。
【背景技術】
【０００２】
従来、被験者を撮影した画像を用いて、医師による診断を支援する画像診断支援システムが知られている。ここで用いられる被験者を撮影した画像には、さまざまな種類がある。
【０００３】
例えば、被験者の生理機能や代謝情報に基づく、被験者の機能を可視可した機能画像である、核医学（Radio Isotope、ＲＩ）画像が用いられている。ＲＩ画像としては、被験者体内に放射性同位元素を導入し、その放射性同位元素から発せられるγ線を利用する単光子放出コンピュータ断層撮影（Single Photon Emission Computed Tomography、ＳＰＥＣＴ）および陽電子放出断層撮影（Positron Emission Tomography、ＰＥＴ）が、それぞれ利用されている（例えば特許文献１）。
【０００４】
また、臓器の解剖学的な形態及び位置を３次元的に高精度で把握するためには、Ｘ線ＣＴ（Computed Tomography）あるいはＭＲＩ（Magnetic Resonance Imaging）による断層画像が用いられている（例えば特許文献２，３）。
【特許文献１】特開２００５−１３７５５８号公報
【特許文献２】特開２００３−２９０１７３号公報
【特許文献３】特開２００５−４０４６５号公報
【発明の開示】
【発明が解決しようとする課題】
【０００５】
ところで、ＲＩ画像は機能画像であるから、着目している生理機能や代謝情報とは無関係な臓器は写らないという特徴がある。従って、ＲＩ画像では、解剖学的な臓器の形態及び位置情報が少なくなる。
【０００６】
これとは反対に、ＣＴ画像及びＭＲＩ画像では、臓器の詳細な形態及び位置情報を得ることができるが、ＲＩ画像とは異なり臓器の機能に基づく情報は画像に現れてこない。つまり、撮像方法が異なれば、それぞれから得られる情報も異なる。
【０００７】
このことから、異なる撮像方法で撮影された画像を組み合わせることにより、医師にとって有益な情報を提供することができる。例えば、機能に関する情報及び臓器の形態等の情報の双方を兼ね備えた画像を得ることができれば、医師による画像診断の精度の向上が見込まれ、臨床的な意義は大きい。
【０００８】
そこで、本発明の目的は、異なる撮像方法で撮影された画像を用いて、それぞれの画像が有する情報のいずれも兼ね備えた画像を提供し、医師による画像診断を支援するための技術を提供することである。
【課題を解決するための手段】
【０００９】
本発明の一実施態様に従う画像診断支援装置は、第１の撮像手段で被験者を断層撮影して得られた、複数枚の第１の断層画像を含む断層画像データを読み込む手段と、第２の撮像手段で前記被験者を撮影した、第２の画像の画像データを読み込む手段と、前記複数枚の第１の断層画像から一枚の第１の断層画像を選択する選択手段と、前記選択された第１の断層画像と、前記第２の画像とを表示装置に並べて表示させる第１の表示手段と、前記第１の断層画像上の第１の位置及び前記第２の画像上の第２の位置の選択を受け付ける受付手段と、前記選択された第１の位置と第２の位置とが合致するように、前記第１の断層画像と前記第２の画像とを重ねて前記表示装置に表示させる第２の表示手段と、を備える。
【００１０】
これにより、第１の撮像手段による第１の断層画像が有する情報及び第２の撮像手段による第２の画像が有する情報の双方を兼ね備えた画像を提供し、画像診断を支援することができる。
【００１１】
好適な実施形態では、前記選択を受け付ける手段が、前記第１の位置が選択された後、所定の入力装置に対する単一の入力操作により前記第２の位置の選択を受け付けると、前記第１の表示手段は、第１の断層画像の表示領域での前記第１の位置と、第２の画像の表示領域内での前記第２の位置とが、同じ位置になるように第１の断層画像または第２の画像の表示位置を変更するようにしてもよい。
【００１２】
これにより、第１の位置及び第２の位置の位置合わせが容易になる。
【００１３】
好適な実施形態では、前記表示装置に表示したときに、前記断層画像及び前記機能画像の前記被験者の表示倍率が一致するように調整する手段をさらに備えてもよい。
【００１４】
これにより、元々の画像の倍率が異なるときでも、それを一致させて画像を重ね合わせることができる。
【００１５】
好適な実施形態では、前記断層画像は、ＣＴ画像またはＭＲＩ画像であってもよい。
【００１６】
好適な実施形態では、前記第２の画像は、前記被験者を正面及び背面から撮影した、前記被験者の生理機能ないしは代謝情報に基づく機能画像であってもよい。さらには、前記機能画像はＲＩ画像であってもよい。
【発明を実施するための最良の形態】
【００１７】
以下、本発明の一実施形態に係る画像診断支援装置について、図面を参照して説明する。
【００１８】
図１は、本実施形態に係る画像診断支援装置の機能構成を示す図である。
【００１９】
本実施形態に係る画像診断支援装置１は、画像診断支援装置本体１０に、ポインティングデバイス及びキーボードなどの入力装置７と液晶ディスプレイなどの表示装置８とプリンタ９とが接続されている。そして、画像診断支援装置１は、断層撮影して得られた被験者の形態を示す断層画像と、被験者の生体機能を示す機能画像とを、表示装置８に重ねて表示させ、被験者の診断に役立てるものである。
【００２０】
画像診断支援装置１は、例えば汎用的なコンピュータシステムにより構成され、以下に説明する画像診断支援装置１内の個々の構成要素または機能は、例えば、コンピュータプログラムを実行することにより実現される。
【００２１】
画像診断支援装置本体１０は、ＣＴ画像記憶部１１と、ＳＰＥＣＴ画像記憶部１２と、ＣＴ読み出し部１３と、ＳＰＥＣＴ読み出し部１４と、バッファ１５，１６と、表示処理部１７と、ＵＩ画面データを記憶する画面データ記憶部１８とを備える。
【００２２】
ＣＴ画像記憶部１１は、Ｘ線ＣＴを用いて撮影したＣＴ画像の画像データを記憶する。例えば、ＣＴ画像記憶部１１には、被験者を所定の方向に断層撮影して得られる複数枚の断層画像を含むＣＴ画像ファイルが格納される。ＣＴ画像ファイルは、あらゆる形式でＣＴ画像記憶部１１に格納することができるが、例えば、各断層画像は５１２×５１２画素のＤＩＣＯＭフォーマットでＣＴ画像記憶部１１に格納されていてもよい。
【００２３】
なお、本実施形態では、Ｘ線ＣＴによる断層画像を用いているが、ＭＲＩによる断層画像などの他の断層画像を用いることもできる。
【００２４】
ＳＰＥＣＴ画像記憶部１２は、ＳＰＥＣＴ画像の画像データを記憶する。本実施形態のＳＰＥＣＴ画像は、γ線を被験者の正面（Anterior）から捉えたＡｎｔ画像と被験者の背面（Posterior）から捉えたＰｏｓｔ画像とを含む。Ａｎｔ画像及びＰｏｓｔ画像は、いずれも被験者の全身画像であり、ＷＢ（Whole Body）画像とも呼ばれる。ＳＰＥＣＴ画像は、臓器などの形態を明らかにするＣＴによる断層画像と異なり、被験者の代謝情報に基づく生体機能を反映した機能画像である。ＳＰＥＣＴ画像記憶部１２に格納されるＳＰＥＣＴ画像ファイルは、あらゆる形式をとることができる。例えば、Ａｎｔ画像とＰｏｓｔ画像とが連結されたマルチイメージファイルであってもよいし、Ａｎｔ画像とＰｏｓｔ画像とがそれぞれ独立のイメージファイルであってもよい。
【００２５】
なお、本実施形態では、ＳＰＥＣＴによる機能画像を用いているが、ＰＥＴによる機能画像を用いることもできる。
【００２６】
ＣＴ読み出し部１３は、ユーザにより指定されたＣＴ画像ファイルをＣＴ画像記憶部１１から読み出して、バッファ１５に格納する。さらに、画像のサイズが後述するＣＴ画像の表示領域１１０（図２参照、以下同様）の画素数と一致しないときは、表示領域１１０に対応する所定の領域を自動的に選択して、バッファ１５に格納するようにしてもよいし、後述する  画面２００を用いてユーザによる選択を受け付けて、バッファ１５に格納するようにしてもよい。
【００２７】
ＳＰＥＣＴ読み出し部１４は、ユーザにより指定されたＳＰＥＣＴ画像ファイルをＳＰＥＣＴ画像記憶部１２から読み出して、バッファ１６に格納する。その際に、後述するように、読み出した画像の解像度に応じてＳＰＥＣＴ画像の倍率を変換する。
【００２８】
表示処理部１７は、バッファ１５に格納されているＣＴ画像データに基づいて、ＣＴ表示領域１１０に断層画像を表示する。本実施形態では、ＣＴ画像の一画素をＣＴ表示領域１１０の一画素に対応させて表示させる。
【００２９】
さらに、表示処理部１７は、バッファ１６に格納されているＳＰＥＣＴ画像データに基づいて、Ａｎｔ画像またはＰｏｓｔ画像をＳＰＥＣＴ表示領域１２０（図２参照、以下同様）に表示させる。本実施形態では、ＳＰＥＣＴ表示領域１２０に表示したときの倍率がＣＴ画像と一致するように倍率調整済みのＳＰＥＣＴ画像をバッファ１６から取得し、ＳＰＥＣＴ表示領域１２０に表示させる。
【００３０】
また、表示処理部１７は、ＣＴ表示領域１１０に表示されている断層画像と、ＳＰＥＣＴ表示領域１２０に表示されているＡｎｔ画像またはＰｏｓｔ画像とを重ねた重畳画像を、重畳表示領域１３０（図２参照）に表示させる。
【００３１】
画面データ記憶部１８は、以下に説明する各ユーザインタフェース画面を表示するためのデータを記憶する。表示処理部１７が、ユーザの入力操作に応じて、画面データ記憶部１８から所定の画面データを取得して、以下に説明する各ユーザインタフェース画面を表示装置８に表示させる。
【００３２】
次に、図２には、表示装置８に表示されるＣＴ画像、ＭＲＩ画像及び重畳画像の表示画面の例を示す。
【００３３】
画像表示画面１００は、ＣＴによる断層画像の表示領域１１０と、ＳＰＥＣＴによるＡｎｔ画像またはＰｏｓｔ画像の表示領域１２０と、断層画像とＡｎｔ画像またはＰｏｓｔ画像とを重ねて表示する重畳表示領域１３０とを有する。さらに、画像表示画面１００は、ＣＴ画像読み出しボタン１１１と、ＳＰＥＣＴ画像（ＷＢ画像）読み出しボタン１２１とを備える。
【００３４】
表示領域１１０，１２０，１３０は、いずれも、横２５６画素×縦５１２画素の表示領域を有する。
【００３５】
さらに、画像表示画面１００は、スライドバー１１２、１３５、チェックボックス１１３、１３４、Ａｎｔ／Ｐｏｓｔ選択ボタン１２２、カーソル移動ボタン１２３、ドローボタン１３２、出力ボタン１３３等を備える。そして、これらがユーザによる操作を受け付けることにより、表示領域１１０，１２０，１３０に所定の画像を表示させることができる。以下、画像表示画面１００が受け付ける操作に応じて、画像診断支援装置１が実行する処理について説明する。
【００３６】
まず、ＣＴ画像読み出しボタン１１１が押されると、図示しないファイル選択画面などが表示される。これにより、ユーザがＣＴ画像記憶部１１に格納されている一つのＣＴ画像ファイルを選択する。
【００３７】
ＣＴ画像ファイルが選択されると、ＣＴ読み出し部１３が選択されたＣＴ画像ファイルをＣＴ画像記憶部１１から読み出してバッファ１５に格納する。
【００３８】
このとき、ＣＴ画像ファイルに含まれる各断層画像（原画像）の画像サイズが、横２５６画素×縦５１２画素であるときは、そのままバッファ１５に格納する。一方、画像サイズが横２５６画素×縦５１２画素よりも大きいときは、ＣＴ読み出し部１３は、原画像から横２５６画素×縦５１２画素の領域を選択する。この領域選択は、例えば、ＣＴ読み出し部１３が原画像の中心部の２５６×５１２画素の領域を自動的に抽出するようにしてもよいし、以下に説明するように、ユーザが指定した領域を抽出するようにしてもよい。
【００３９】
図３は、ユーザがＣＴ画像の領域を指定するための領域指定画面２００の一例を示す。
【００４０】
領域指定画面２００には、ＣＴ画像記憶部１１から読み出されたＣＴ画像ファイルのうちの１枚の断層画像（原画像）２１０が表示されている。ここで、複数枚の断層画像のうちのどの断層画像を表示させるかは、ユーザが入力装置７を用いてスライドバー２５０を操作することにより選択可能である。
【００４１】
原画像２１０上には、横２５６×縦５１２画素の領域を選択するための選択枠２２０が表示されている。選択枠２２０は、ユーザが入力装置７を操作することにより移動可能である。そこで、ユーザが選択枠２２０を移動させて、領域を選択する。そして、ＯＫボタン２３０が押されると、選択枠２２０で選択された領域が確定する。
【００４２】
このとき、選択された領域は、選択枠２２０の大きさが予め定められているので、選択枠２２０上の基準点Ａの位置により特定できる。従って、ＣＴ画像ファイルに含まれる各断層画像データの、基準点Ａにより定まる選択領域の画像データがバッファ１５に格納される。
【００４３】
再び図２を参照して説明を続ける。
【００４４】
ＳＰＥＣＴ画像読み出しボタン１２１が押されると、ＣＴ画像の場合と同様に、所定のファイル選択画面などが表示され、ユーザがＳＰＥＣＴ画像記憶部１２に格納されている一つのＳＰＥＣＴ画像ファイルを選択する。
【００４５】
ＳＰＥＣＴ画像ファイルが選択されると、ＳＰＥＣＴ読み出し部１４が選択されたファイルをＳＰＥＣＴ画像記憶部１２から読み出して、以下に説明する倍率調整及び補間を行った後、バッファ１６に格納する。このとき、Ａｎｔ画像とＰｏｓｔ画像のファイルが独立しているときは、それぞれのファイルの選択を受け付けてＳＰＥＣＴ画像記憶部１２から読み込むようにしてもよいし、いずれか一方のみの指定を受け付けて読み込んでもよい。
【００４６】
ＳＰＥＣＴ読み出し部１４は、ＣＴ画像の解像度を基準とし、Ａｎｔ画像とＰｏｓｔ画像をＳＰＥＣＴ表示領域１２０に表示したときに、ＣＴ表示領域１１０に表示されているＣＴ画像と同じ倍率になるように、ＳＰＥＣＴ画像の倍率を調整する。
【００４７】
まず、ＣＴ画像の解像度とＳＰＥＣＴ画像の解像度とに基づいて、ＣＴ画像に対するＳＰＥＣＴ画像の拡大率を決定する。すなわち、ＣＴ画像の解像度をｐ１、ＳＰＥＣＴ画像の解像度をｐ２とすると、拡大率Ｗは、以下のようになる。
Ｗ＝ｐ２／ｐ１
ここで、ＳＰＥＣＴ表示領域１２０は、横２５６×縦５１２画素であるから、ＳＰＥＣＴ画像から選択されるべき画素数は、横が（２５６／Ｗ）画素であり、縦が（５１２／Ｗ）画素となる。従って、ＳＰＥＣＴ読み出し部１４は、上記の画素数の領域を選択されたＳＰＥＣＴ画像ファイルから自動的に切り出してもよいし、図３の選択画面と同様にしてユーザに選択させてもよい。
【００４８】
さらに、ＳＰＥＣＴ読み出し部１４は、横の画素数が２５６、縦の画素数が５１２に満たない場合、それぞれを２５６画素及び５１２画素とするべく、所定の方法で補間処理を行う。
【００４９】
図４は、以上の処理により、選択された画像がＣＴ表示領域１１０とＳＰＥＣＴ表示領域１２０とにそれぞれ表示された状態である。
【００５０】
ここで、スライドバー１１２は、図３の場合と同様に、複数の断層画像の中から、ユーザがＣＴ表示領域１１０に表示させる断層画像を選択するために利用される。Ａｎｔ／Ｐｏｓｔ選択ボタン１２２は、ＳＰＥＣＴ表示領域１２０にＡｎｔ画像及びＰｏｓｔ画像のいずれを表示させるかの選択を受け付ける。従って、ユーザが、スライドバー１１２とＡｎｔ／Ｐｏｓｔ選択ボタン１２２を操作することにより、次に説明する重畳画像を生成するための、ＣＴ画像とＳＰＥＣＴ画像の最適な組み合わせを選択することができる。
【００５１】
ここで、重畳画像を生成する前に、以下に説明するように、ユーザが入力装置７を操作して病変部位の位置合わせを行う。
【００５２】
まず、カーソル選択のチェックボックス１１３にチェックが入れられると、ＣＴ表示領域１１０にラインカーソル１１５、１１６が表示され、ＳＰＥＣＴ表示領域１２０上にラインカーソル１２５、１２６が表示される。ここで、ラインカーソル１１５、１２５は横ライン、ラインカーソル１１６、１２６は縦ラインである。
【００５３】
ユーザは、入力装置７を用いてＣＴ表示領域１１０のラインカーソル１１５及び１１６を移動させることができる。ラインカーソル１１５及び１１６が移動すると、ＳＰＥＣＴ表示領域１２０のラインカーソル１２５及び１２６が、それぞれ連動して移動する。これにより、横ライン及び縦ラインのそれぞれの交点１１５Ａ、１２５Ａを移動させることができる。
【００５４】
ここで、ユーザが、交点１１５ＡをＣＴ表示領域１１０に表示されているＣＴ画像の病変部位に一致するように移動させた場合、ＳＰＥＣＴ表示領域１２０のＳＰＥＣＴ画像の病変部位と交点１２５Ａとが一致していなければ、これを一致させるように、さらに以下の要領で修正をすることができる。
【００５５】
すなわち、ユーザが、ＳＰＥＣＴ表示領域１２０のＳＰＥＣＴ画像における病変部位を特定するように、入力装置７に対する単一の操作（例えば入力装置７がマウスであれば右ボタンのワンクリックなど）で入力する。表示処理部１７は、この入力により特定された位置が、交点１２５Ａと一致するようにＳＰＥＣＴ画像を移動させる。ここで、さらに微調整が必要なときは、カーソル移動ボタン１２３により、交点１２５Ａを、その中心に表示された画素数単位で上下左右に移動させることができる。
【００５６】
これにより、ユーザは、ＣＴ画像上の病変部位を交点１１５Ａ、ＳＰＥＣＴ画像上の病変部位を交点１２５Ａに、それぞれ一致させることにより位置合わせを行う。
【００５７】
位置合わせを行われた後にドローボタン１３２が押されると、交点１１５Ａと交点１２５Ａとが一致するように、ＣＴ表示領域１１０及びＳＰＥＣＴ表示領域１２０に表示されているＣＴ画像及びＳＰＥＣＴ画像を重畳させた重畳画像を、重畳表示領域１３０に表示させる。
【００５８】
図５は、重畳画像が重畳表示領域１３０に表示された状態を示す。
【００５９】
この状態でも、ユーザは所定の操作によりラインカーソル１１５，１２５を移動させることが可能である。ラインカーソル１１５，１２５を移動させた後、再度ドローボタン１３２が押されると、ラインカーソル１１５，１２５を移動させた後の状態で、交点１１５Ａ、１２５Ａが合致するように、重畳表示領域１３０に表示されている重畳画像が修正される。
【００６０】
さらに、図５において、ダイナミック表示のチェックボックス１３４にチェックが入れられた状態でラインカーソル１１５，１２５が移動させられると、上記のようにドローボタン１３２が押されなくても、ラインカーソル１１５，１２５の移動が即座に反映されて、重畳表示領域１３０の画像が更新される。
【００６１】
また、スライドバー１３５により、ＣＴ画像及びＳＰＥＣＴ画像の強調レベルの調整が可能である。つまり、スライドバー１３５右にシフトされるとＣＴ画像が強調され、左にシフトされるとＳＰＥＣＴ画像が強調される。
【００６２】
重畳画像が重畳表示領域１３０に表示されているときに、出力ボタン１３３が押されると、ユーザの選択に応じて、ＣＴ表示領域１１０、ＳＰＥＣＴ表示領域１２０及び重畳表示領域１３０に表示されている各画像が、プリンタ９により印刷されるか、または、ＪＰＥＧなどのファイル形式で重畳画像記憶部１９に格納される。
【００６３】
本実施形態によれば、ＣＴ画像などのような形態画像が有する情報、及びＳＰＥＣＴ画像のような機能画像が有する情報の両方を兼ね備えた画像を提供することができる。医師に対してこの画像を提供することにより、画像診断の精度向上が期待できる。
【００６４】
さらに本実施形態に係る画像診断支援装置を医師自らが操作することにより、ＣＴ画像及びＳＰＥＣＴ画像における病変部位を医師が特定し、これに基づいて重畳画像を生成することができる。この結果、医師の知識と経験に基づく正確な診断を行うことができる。
【００６５】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００６６】
例えば、本実施形態では、３次元断層画像のうちの一枚であるＣＴ画像と２次元断層画像であるＳＰＥＣＴ画像とを重畳表示させているが、本発明はこれ以外の撮像手段により撮像された画像の組み合わせにも適用可能である。すなわち、３次元断層画像のうちの一枚と２次元断層画像との組み合わせであるＣＴ画像とＳＰＥＣＴ以外のＲＩ画像、ＭＲＩ画像とＲＩ画像（ＳＰＥＣＴを含む）、及び３次元断層画像のうちの一枚同士の組み合わせであるＣＴ画像とＭＲＩ画像、ＣＴ画像とマージドＳＰＥＣＴ画像及びＭＲＩ画像とマージドＳＰＥＣＴ画像などの組み合わせも適用できる。
【図面の簡単な説明】
【００６７】
【図１】本発明の一実施形態に係る画像診断支援装置の機能構成を示す。
【図２】画像表示画面の一例を示す。
【図３】領域指定画面の一例を示す。
【図４】ＣＴ画像とＳＰＥＣＴ画像が表示された画像表示画面の一例を示す。
【図５】重畳画像が表示された画像表示画面の一例を示す。
【符号の説明】
【００６８】
１    画像診断支援装置
１０    画像診断支援装置本体
１１    ＣＴ画像記憶部
１２    ＳＰＥＣＴ画像記憶部
１３    ＣＴ読み出し部
１４    ＳＰＥＣＴ読み出し部
１５，１６    バッファ
１７    表示処理部
１８    画面データ記憶部
１９    重畳画像記憶部
１００    画像表示画面
１１０    ＣＴ表示領域
１２０    ＳＰＥＣＴ表示領域
１３０    重畳表示領域
【図１】
0004794993.tif 000002
【図２】
0004794993.tif 000003
【図３】
0004794993.tif 000004
【図４】
0004794993.tif 000005
【図５】
0004794993.tif 000006